(57)【要約】【課題】伴奏曲を記憶しただけのカートリッジと異なり、決められた伴奏曲以外でもカラオケを楽しむことができ、カラオケ遊びの幅を広げることができるカラオケ玩具用カートリッジを提供すること。【解決手段】マイクロフォン１、スピーカ８及び操作部７を備えたカラオケ玩具本体Ｂに着脱可能なカートリッジＡであって、該カートリッジＡには鍵盤３０と、楽音、伴奏曲及び制御プログラムを記憶したメモリ３５と、該メモリ３５に記憶された制御プログラムにしたがってカラオケ玩具を制御するＣＰＵ３６とを備えるとともに、複数の遊戯モードの中から任意の遊戯モードが選択可能なモードセレクト手段３２を備え、上記ＣＰＵ３６はモードセレクト手段３２で選択された遊戯モードを実行するようにした。【選択図】        図１
2004348035.tif 000002
【特許請求の範囲】
【請求項１】
マイクロフォン、スピーカ及び操作部を備えたカラオケ玩具に着脱可能なカートリッジであって、該カートリッジには鍵盤が設けられ、該鍵盤の押し操作に連係して上記スピーカから楽音や伴奏曲が出力されることを特徴とするカラオケ玩具用カートリッジ。
【請求項２】
以下の要件を備えることを特徴とする、請求項１記載のカラオケ玩具用カートリッジ。
（イ）前記カートリッジは楽音、伴奏曲及び制御プログラムを記憶したメモリと、該メモリに記憶された制御プログラムにしたがってカラオケ玩具を制御するＣＰＵとを備えること
（ロ）前記カートリッジは複数の遊戯モードが選択可能なモードセレクト手段を備え、上記ＣＰＵはモードセレクト手段で選択された遊戯モードを実行すること
【請求項３】
以下の要件を備えることを特徴とする、請求項２記載のカラオケ玩具用カートリッジ。
（イ）前記遊戯モードの１つはカラオケ楽曲を出力するカラオケモードであること
（ロ）前記遊戯モードの１つは鍵盤を弾くことにより、弾いた鍵に対応した音階の楽音を出力する演奏モードであること
（ハ）前記遊戯モードの１つは鍵盤を弾くことにより、弾いたタイミングに合わせてカラオケ楽曲を一音ずつ出力する伴奏モードであること
【発明の詳細な説明】
【０００１】
【発明の属する技術分野】
本発明は、カラオケ玩具用カートリッジ、詳しくは鍵盤を備えたカラオケ玩具用カートリッジに関する。
【０００２】
【従来の技術】
従来、従来、カラオケは職場の親睦や友人とのコミュニケーションで欠かすことができないもので、カラオケハウスなどで使用される業務用のカラオケ装置が一般的であったが、個人の家でカラオケを楽しむためには装置そのものが大型であるため家庭用のカラオケ装置としては馴染まないものであった。そこで、自宅のテレビに接続し、家庭でも楽しむことができるカラオケ装置が提案され実用化されている。（例えば、特許文献１参照）。
【０００３】
【特許文献１】
２００２−３６６１６８号公報（第２―３頁、図１）
【０００４】
【発明が解決しようとする課題】
しかしながら、上述のカラオケ装置はあくまでカートリッジに記憶されている伴奏曲のみを出力するもので、カートリッジを交換することにより、数限りなくカラオケ曲を演奏することはできるが、カートリッジに記憶されている伴奏曲を出力するだけのもので、異なる音楽遊びをすることはできないものであった。
【０００５】
本発明は上記問題点を解消し、伴奏曲を記憶しただけのカートリッジと異なり、決められた伴奏曲以外でもカラオケを楽しむことができ、カラオケ遊びの幅を広げることができるカラオケ玩具用カートリッジを提供することをその課題とする。
【０００６】
【課題を解決するための手段】
前記課題を解決するため、本発明に係るカラオケ玩具用カートリッジは、マイクロフォン、スピーカを備えたカラオケ玩具に着脱可能なカートリッジであって、該カートリッジには鍵盤が設けられ、該鍵盤の押し操作に連係して上記スピーカから楽音が出力されることを特徴とする。
【０００７】
なお、前記カラオケ玩具用カートリッジは、以下の要件を備えることが好ましい。
（イ）前記カートリッジは楽音、伴奏曲及び制御プログラムを記憶したメモリと、該メモリに記憶された制御プログラムにしたがってカラオケ玩具を制御するＣＰＵとを備えること
（ロ）前記カートリッジは複数の遊戯モードが選択可能なモードセレクト手段を備え、上記ＣＰＵはモードセレクト手段で選択された遊戯モードを実行すること
また、前記カラオケ玩具用カートリッジは以下の要件を備えていればよい。
（イ）前記遊戯モードの１つはカラオケ楽曲を出力するカラオケモードであること
（ロ）前記遊戯モードの１つは鍵盤を弾くことにより、弾いた鍵に対応した音階の楽音を出力する演奏モードであること
（ハ）前記遊戯モードの１つは鍵盤を弾くことにより、弾いたタイミングに合わせてカラオケ楽曲を一音ずつ出力する伴奏モードであること
【０００８】
【発明の実施の形態】
図１は、本発明に係るカラオケ玩具用カートリッジＡをカラオケ玩具Ｂに装着した状態の斜視図を示し、図２は平面図を示す。
【０００９】
カラオケ玩具Ｂは、図３に示すように、上面にはマイクロフォン１を収納するマイク収容部２と、カートリッジＡの本体部３を収容するカートリッジ収容部４とからなる収容部５が形成され、収容部５の手前にはプレイヤーが操作する操作部７とスピーカ８とが配置されている。
【００１０】
操作部７には選曲ボタン１０、１１、伴奏曲に付加されている歌の出力をするか否かを選択するためのボーカル選択ボタン１２、音量調節用のボリューム１３、カラオケをスタートさせたり中断したりする際に操作するスタート／ストップボタン１４、電源のＯＮ／ＯＦＦを操作する電源ボタン１５、および電源ＯＮ時に点灯するＬＥＤ１６が配置されている。
【００１１】
また、符合１７は、カートリッジ収容部５に収容された状態のカートリッジＡを取り外す際に使用するリジェクトレバーを示し、符合１８は、カートリッジＡのエッジコネクタ３３を差し込むための差し込みコネクタを示す。
【００１２】
なお、マイクロフォン１に設けられたスイッチ１９は、マイクロフォン１を機能させるか否かを決定するもので、ＯＮ位置ではマイクロフォン１の出力信号がスピーカ８から出力されるようになっている。
【００１３】
カートリッジＡは、前部に鍵盤を模したキーボード３０が配置され、後部には歌詞カード３１が手捲り可能に配置され、右手上面には複数の遊戯モードの中から任意の遊戯モードを選択するモードセレクト手段であるセレクトボタン３２が配置されている。なお、左手上面に形成されている凹部３３は、マイクロフォン１を支持するマイクスタンド３４を立てるための取り付け用の凹部である。
【００１４】
このカートリッジＡは内部に制御プログラムを記憶するとともに、楽曲データ、楽音データ等を記憶したメモリ３５と、操作部７の操作と、セレクトボタン３２のモード選択により、上記メモリ３５に記憶されている制御プログラムにしたがって選択された遊戯モードを実行するＣＰＵ３６とが配置されている。
【００１５】
なお、上記ＣＰＵ３６はメモリ３５を内蔵したプログラマブル音声合成ＩＣで構成することができる。
【００１６】
キーボード３０は白鍵と黒鍵とが公知の鍵盤と同じ配列で構成され、各鍵の下にはスイッチＳＷ１〜ＳＷ１８が配置されている。鍵を弾くことにより、鍵に対応したスイッチがＯＮし、そのスイッチの信号はＣＰＵ３６に入力され、制御プログラムにしたがって、メモリから楽音データが読み出されオーディオ信号に変換されてエッジコネクタ３７、コネクタ１８を介してカラオケ玩具Ｂに入力され、アンプ３８で増幅されてスピーカ８から出力されるようになっている。
【００１７】
なお、ＣＰＵ３６から出力されるオーディオ信号にはマイクロフォン１の出力信号がミキシングされ、アンプ３８で増幅されてスピーカ８から出力されるようになっている（図５参照）。
【００１８】
なお、図５において、符合ＳＷ１７はセレクトボタン３２に対応したスライドスイッチで、カラオケモード、ピアノモード、演奏モードの３つのモードの中から任意のモードを選択できるようになっている。カラオケモードではメモリに記憶されているカラオケ曲が出力され、ピアノモードでは弾いた鍵に対応した音階のピアノ音等が出力され、演奏モードでは予め記憶されているピアノの演奏曲が鍵を弾くたび毎に一音ずつ出力されるようになっている。
【００１９】
図６は、カラオケ玩具Ｂの電気的構成を示すブロック図で、ソケット１８に差し込まれたエッジコネクタ３７から入力されたオーディオ信号とマイクロフォン１から入力された音声信号はミキシングされアンプ３８で増幅されてスピーカ８から出力されるようになっている。
【００２０】
なお、ＳＷ２１、２２は歌いたい曲を選曲する選曲ボタン１０、１１の押し操作に連係してＯＮするスイッチで、選曲ボタン１０が押されてＳＷ２１がＯＮすると選曲が１つ戻り、選曲した曲名がスピーカ８から音声で出力され、選曲ボタン１１が押されてＳＷ２２がＯＮすると選曲が１つ進み、選曲した曲名がスピーカ８から音声で出力されるので、曲名をアナウンスで確認することができるようになっている。
【００２１】
そして、ＳＷ２０は、スタート／ストップボタン１４の押し操作に連係してＯＮするスイッチで、押すたびに曲のスタート、ストップを繰り返すようになっている。
【００２２】
さらに、ＳＷ２３は伴奏曲に付加されている歌を出力するか否かをプレイヤーが選択するためのボーカル選択ボタン１２に対応したスライドスイッチで、ボーカル選択ボタン１２をオン側にスライドさせている時は歌声オーディオ信号が伴奏曲に付加されてＣＰＵ３６から出力され、ボーカル選択ボタン１２をオフ側にスライドさせている時は伴奏曲のみがＣＰＵ３６から出力さるようにプログラミングされているので、選択ボタン１２をオン側にスライド操作している間は歌声オーディオ信号と伴奏曲のオーディオ信号とがミキシングされてＣＰＵ３６から出力されるが、ボーカル選択ボタン１２をオフ側にスライドしている時は伴奏曲のオーディオ信号のみがＣＰＵ３６から出力されるようになっている。
【００２３】
なお、図６において、符号１３は音量を調節するボリューム、符号１６は作動中であることを点灯で示すＬＥＤを示し、符合４０はデュエットでカラオケをする際に図示しないサブマイクロフォンを差し込むマイクジャックを示す。
【００２４】
次に、上記構成のカラオケ玩具用カートリッジの使用態様について説明する。
【００２５】
先ず、図４に示すように、カートリッジＡにマイクスタンド３４をセットし、マイクロフォン１をマイクスタンド３４にセットした後、カートリッジＡをカラオケ玩具Ｂにセットする。このときカートリッジＡのエッジコネクタ３７はカラオケ玩具Ｂに設けられたコネクタ１８に差し込まれ、カートリッジＡとカラオケ玩具Ｂとは電気的に接続される。
【００２６】
図１に示すように、カートリッジＡのセットが終了したら、セレクトボタン３２で３つの遊戯モードの中から任意の遊戯モードを選択する。
【００２７】
遊戯モードとしてカラオケモードを選択した場合は、電源をＯＮすると、「カラオケで歌おう」というアナウンスに続いて一曲目の曲名がアナウンスされる。選曲ボタン１０、１１で歌いたい曲を選択すると、選曲ボタンを押すたびに曲名がアナウンスされるので、歌いたい曲が決まったら歌詞カード３１を捲って、歌いたい曲の歌詞が印刷されているページを開き、マイクスイッチ１９をＯＮにする。
【００２８】
準備ができたら、スタート／ストップボタン１４を押すと、カラオケがスタートし伴奏曲がスピーカ８から流れるので、歌詞カード３１を見ながらマイクロフォン１に向かって歌えば、伴奏曲に自分の歌声がミシシングされてスピーカ８から出力される。
【００２９】
このとき、歌い方が判らないときは、ボーカル選択ボタン１２をＯＮにセットすれば、伴奏曲とともに歌声が出力されるので、歌声に合わせて歌えばよい。
【００３０】
遊戯モードとしてピアノモードを選択した場合は、電源をＯＮすると、「ピアノを弾こう」というアナウンスが出力される。選曲ボタン１０、１１で複数の音色（例えば、ピアノ、オルガン、犬、ネコ、ひよこ、アヒルなど）の中から演奏したい音色を選択し、演奏したい音色が決まったら、ピアノを弾くように自由に鍵を押せばよい。押した鍵に対応した音階で選択した音色の音が出力されるので、お気に入りの音色でキーボード３０を弾くことができる。
【００３１】
遊戯モードとして演奏モードを選択した場合は、電源をＯＮすると、「ピアノで遊ぼう」というアナウンスに続いて一曲目の曲名がアナウンスされる。選曲ボタン１０、１１で演奏したい曲を選択すると、選曲ボタン１０、１１を押すたびに曲名がアナウンスされるので、演奏したい曲が決まったら、自由に鍵を弾けばよい。このときはスイッチＳＷ１〜ＳＷ１６のどのスイッチがＯＮしても、ＯＮするたびにピアノの音色でメロディを構成する構成音が一音ずつ出力されるので、ピアノが弾けない人であっても、自分でピアノを弾いているような気分になり、そのピアノ曲に合わせて歌えば、弾き語りのように歌を歌うことができる。
【００３２】
上述したように、カートリッジには鍵盤と、遊戯モードを選択するモードセレクトスイッチとが設けられているので、通常のカラオケ装置のように出力されるカラオケ演奏曲に合わせて歌うことができるし、ピアノ玩具と同じようにピアノを弾くことができるし、伴奏曲を自分でピアノを弾いているように出力させることができ、カラオケ遊びの幅を広げることができる。
【００３３】
【発明の効果】
本発明によれば、カートリッジに鍵盤が設けられているので、単に伴奏曲を記憶したカートリッジと異なり、自分で演奏する楽しみを味わうことができる。
【００３４】
また、複数の遊戯モードの中から任意の遊戯モードを選択して遊ぶことができるので、単に伴奏曲を出力するだけの従来のカラオケ玩具との差別化を図ることができる。
【００３５】
さらに、遊戯モードを、カラオケモード、ピアノモード、演奏モードで構成し、カラオケモードを選択すれば出力される伴奏曲に合わせてカラオケができるし、ピアノモードを選択すればカラオケ装置がピアノ玩具と同様に鍵盤を弾いて楽しむことができるし、演奏モードを選択すればどの鍵であっても鍵を押すたびに伴奏曲を構成する音が順次出力されるので、ピアノが弾けない人であっても恰もピアノを弾いているような気分になり、弾き語りを楽しむことができるので、１つのカートリッジでありながら様々な音楽遊びを楽しむことができる。
【図面の簡単な説明】
【図１】本発明に係るカートリッジをカラオケ玩具にセットした状態を示す斜視図
【図２】カートリッジをカラオケ玩具にセットした状態を示す平面図
【図３】カラオケ玩具の構成を示す斜視図
【図４】カートリッジの構成を示す斜視図
【図５】カートリッジの電気的構成を説明する回路図
【図６】カラオケ玩具の電気的構成を説明する回路図
【符号の説明】
１  マイクロフォン
８  スピーカ
３２  モードセレクト手段（セレクトボタン）
３５  メモリ
３６  ＣＰＵ
【図１】
2004348035.tif 000003
【図２】
2004348035.tif 000004
【図３】
2004348035.tif 000005
【図４】
2004348035.tif 000006
【図５】
2004348035.tif 000007
【図６】
2004348035.tif 000008